(57)【要約】      （修正有）【課題】表情筋に一定の強さの運動量を可及的に増大し得る携帯用運動器具を提供する。【解決手段】人体の顔面部の表情筋に伸縮運動を施す運動器具であって、本体の頭部には叩き棒２が設けられ内部にはこの叩き棒２を連続して上下運動をさせる為のギャー装置が内蔵されている。頭部の叩き棒２の先端には顔面に直接接触する為に軟質シリコン及びゴム等でなる球状のカバー３で覆われている。叩き棒２の先端に装着されている軟質シリコンゴムの周辺にヘッドカーバー７が装着されており、表情筋に加える運動量を一定にする為のヘッドカバー７を装着したことを特徴とした表情筋運動器具。【選択図】図２
0003160878.tif 000002
【実用新案登録請求の範囲】
【請求項１】
人体の顔面部の頬・あご等の表情筋を鍛える運動器具であって、当該運動器具を構成する本体の頭部には叩き棒が設けられ内部にはこの叩き棒を連続して上下運動させる為のギャ装置が内蔵されている、ギヤー装置の下部にはギャ装置を駆動させる為にモーターと電源が装着されている、頭部の叩き棒の先端は顔面に直接接触する為の軟質シリコン及びゴム等でなる球状のカバーが装着されている構造で、その頭部先端には当該運動器具の球状カバー部分が顔面表面の皮膚上を容易に摺動し、さらに一定の強さの叩き運動が連続して加えることを可能にしたヘッドカバーを装着したことを特徴とした表情筋運動器具。
【請求項２】
請求項１において、球状カバーの叩きの強さを調整できるヘッドカバーが付いた表情筋運動器具。
頁      ２／４
【考案の詳細な説明】
【技術分野】
【０００１】
本考案は運動器具に関し、更には詳細には顔面の筋肉を伸縮させることで人体の顔面部に表情筋運動を施す運動器具に関する。
【背景技術】
【０００２】
顔面部の表情筋を強化する為に、顔面上を六角形の先端を回転させ表情筋に刺激を加える運動器具やモーターの軸に装着したブロックを変芯させ、横方向の振動によって刺激を加える運動器具が生産・販売されている。
【考案の概要】
【考案が解決しようとする課題】
【０００３】
顔面筋の中でも表情筋は約３０種類も有り、それぞれの表情筋は皮膚という不安定なものに直接ついている薄く小さな筋肉である。
顔面付近のシェイプアップには、表情筋に可及的に伸縮等の運動を加えることが必要であり、特に皮膚の下にある表情筋に刺激が届くように縦方向（上下方向）の運動を加えることが好ましい。
しかし、従来の運動器具では皮膚の表面を摺動するだけで表情筋に対する運動量が不足して初期の効果が発現しがたい場合が有る。
本考案の目的は家庭内やスポーツジム等の運動器具を利用せず、携帯用器具にて表情筋に上下の一定の強さの運動量を加え、運動量を可及的に増大し得る表情筋運動器具を提供することである。
【課題を解決するための手段】
【０００４】
本考案者は、前期目的を達成すべく検討を重ねた所、製品の頭部にフランジ状のヘッドカバーを設けることで上下伸縮運動の強さを制御でき一定の強さの運動量を可及的加えることが出来る事を見出し、本考案に達した。
【考案の効果】
【０００５】
本考案は、人体の顔面部分の表情筋に容易に一定の強さで上下の伸縮運動を加える事が出来る為、顔面部及び首部のシェイプアップを期待することが出来る。
【図面の簡単な説明】
【０００６】
【図１】本考案の請求項１の実施例を示す正面図。
【図２】本考案の請求項１の実施例を示す詳細正面図。
【図３】本考案の請求項１の実施例を示すヘッドカバーの正面図。
【図４】本考案の請求項１の実施例を示すヘッドカバーの底面図。
【図５】本考案の請求項２の実施例を示すヘッドカバーの詳細正面図。
【図６】本考案の請求項２の実施例を示すヘッドカバー組の正面図。
【図７】本考案の請求項２の実施例を示すヘッドカバー組の断面図。
【図８】本考案の請求項２の実施例を示すヘッドカバーAの断面図。
【図９】本考案の請求項２の実施例を示すヘッドカバーBの正面図。
【図１０】本考案の請求項２の実施例を示すヘッドカバーAの変位を表した図。
【図１１】本考案の請求項２の実施例を示すヘッドカバーAの変位を表した図。
【考案を実施するための形態】
【０００７】
本考案は、人体の顔面部分の表情筋に伸縮運動を施す運動器具であって、当該運動器具を構成する本体先端にはフランジ状のヘッドカバーが装着されており、そのヘッドカバーの先端より出ている球状部分を顔面表面皮膚に直接当て顔面に上下の運動を加える時、装着されたヘッドカバーにより表情筋に加える運動量を一定に強さに制御できることを特徴  
とした表情筋運動器具である。
【実施例】
【０００８】
本考案の実施例図面によって更に説明する。
図１は本考案の請求項１の実施例を示す正面図である。
図２の本体頭部の先端には顔面の表情筋に叩き運動の刺激を加えるための叩き棒２が設けられ、その先端には軟質シリコンゴムの球状のカバー３が装着している。
本体内部には叩き棒２を連続的に上下運動させる為のギャ装置が内蔵され、さらにその下方向にはギャ装置を駆動させる為のモーター４とモーターの電源５が装着されている。
【０００９】
さらに本体頭部先端には本考案のヘッドカバー７が本体１のスイッチノブ１６にヘッドカバー７の案内溝１７を合わせ挿入され、本体の頭部に形成されている凹状に作られたヘッドカバー固定溝６にヘッドカバーの突起ブロック８を係着して固定している。
【００１０】
図２に示す様に本体の上部にフランジ状のヘッドカバー７を装着することで叩き棒に装着されている球状のカバー３が顔面表面を摺動することが容易になり、さらに顔面に球状のカバー３を強く押し付けてもヘッドカバー７のフランジ部が顔面の表面にあたるため顔面への叩きの強さを一定に保つことが出来る。
図３は本考案請求項１のヘッドカバー７の正面図、図４はヘッドカバー７の底面図である。
【００１１】
図５は請求項２の叩きの強さを調整できる機能が内蔵されているヘッドカバー９を本体１に装着した詳細正面図である、図６は請求項２のヘッドカバー組９の正面図で、ヘッドカバーA１０とヘッドカバー１１とで構成されている。図７はヘッドカバー組９の側面の断面図で内面下部に突起ブロック１２が形成され、ヘッドカバーA１０の突起ブロック１３がヘッドカバーB外周案内溝１４に係合している。図８はヘッドカバーAの断面図で内側側面に突起上のブロック１３が形成されている。図９はヘッドカバーB１１の正面図で外周側面には案内溝１４が斜め方向に形成されている。
【００１２】
図９の点線で表した溝はヘッドカバーB１１の背面に形成されている案内溝１５である。図１０・図１１は請求項２のヘッドカバー組９の装着状況とヘッドカバーA１０の変異を表した図である。
【００１３】
図１１においてヘッドカバー組９のヘッドカバーA１０を矢印方向に回転させるとヘッドカバーA１０の内側に形成されている突起ブロック１３がヘッドカバーB１１の側面外周に形成されている案内溝１４を摺接しながら摺動しA点からB点に変位すると、ヘッドカバーA１０は上方向に押し上げられヘッドカバーA10のフランジ部分はC点からD点に変位する。
【００１４】
ヘッドカバーA１０の変位によって本体先端の球状カバーとヘッドカバー組９との距離が伸縮して叩きの強さを調整する機構である。
【符号の説明】
【００１５】
１：本体。
２：叩き棒。
３：球状のカバー。
４：モーター（DCモーター）。
５：電源部（乾電池）。
６：ヘッドカバー固定溝
７：ヘッドカバー。
８：ヘッドカバー突起ブロック。
９：ヘッドカバー組。
１０：ヘッドカバーA。
１１：ヘッドカバーB。
１２：ヘッドカバーBの突起ブロック。
１３：ヘッドカバーAの突起ブロック。
１４：ヘッドカバーBの側面溝。
１５：ヘッドカバーBの背面溝。
１６：スイッチノブ。
１７：ヘッドカバー案内溝。                                                      
【図１】
0003160878.tif 000003
【図２】
0003160878.tif 000004
【図３】
0003160878.tif 000005
【図４】
0003160878.tif 000006
【図５】
0003160878.tif 000007
【図６】
0003160878.tif 000008
【図７】
0003160878.tif 000009
【図８】
0003160878.tif 000010
【図９】
0003160878.tif 000011
【図１０】
0003160878.tif 000012
【図１１】
0003160878.tif 000013
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
人体の顔面部のほほ・あご等の表情筋を鍛える運動器具であって、当該運動器具を構成する本体の頭部には叩き棒２が設けられ、その先端にはシリコン及びゴム等でなる球状のカバー３が装着されている、内部にはこの叩き棒２を連続して上下運動させる為のギヤ装置が内蔵されている、さらにギヤ装置の下部にはギヤ装置を駆動させる為にモーター４と電源５が装着されている、当該運動器具は球状のカバー３の先端部を直接人体に当てその上下運動によって顔面の表情筋に可及的に刺激を加える事を目的にしているが、刺激の強さは当該運動器具の顔面への押し当て方次第で刺激の強さに強弱がでる、加える刺激の強さを一定レベルにするために、当該運動器具の頭部に球面状のフランジの付いたヘッドカバー７を装着し、フランジ部分と球状のカバー３の先端部分との距離を一定間隔にする事で球状のカバー３の先端を顔面に押し当ててもヘッドカバー７のフランジ部分も顔面に当たり、人体の顔面のほほ・あご等の表情筋を鍛える為に加える刺激の強さを一定レベルにする事が出来、さらにフランジ部分が球面状のため顔面の表面皮膚上を容易に摺動させることを可能にした、フランジ部分が球面状でなるヘッドカバー７を装着した表情筋運動器具。
【請求項２】
装着するヘッドカバーのフランジ部分を伸縮させ表情筋に加える刺激の強さを可変できる構造のヘッドカバー９を装着した請求項１の表情筋運動器具。
【手続補正２】
【補正対象書類名】図面
【補正対象項目名】図１
【補正方法】変更
【補正の内容】
【図１】
0003160878.tif 000014
【手続補正書】
【提出日】平成22年5月12日(2010.5.12)
【手続補正１】
【補正対象書類名】実用新案登録請求の範囲
【補正対象項目名】全文
【補正方法】変更
【補正の内容】
【実用新案登録請求の範囲】
【請求項１】
人体の顔面部のほほ・あご等の表情筋を鍛える運動器具であって、当該運動器具を構成する本体の頭部には叩き棒２が設けられ、その先端には軟質シリコン樹脂及び軟質ゴムでなる球状のカバー３が装着されている、内部にはこの叩き棒２を連続して上下運動させる為のギヤ装置が内蔵されている、さらにギヤ装置の下部にはギヤ装置を駆動させる為にモーター４と電源５が装着されている、当該運動器具の頭部に球面状のフランジの付いたヘッドカバー７を装着し、フランジ部分と球状のカバー３の先端部分との距離を一定間隔にする事で球状のカバー３の先端を顔面に押し当ててもヘッドカバー７のフランジ部分も顔面に当たり、人体の顔面のほほ・あご等の表情筋を鍛える為に加える刺激の強さを一定レベルにする事が出来、さらにフランジ部分が球面状のため顔面の表面皮膚上を容易に摺動させることを可能にした、フランジ部分が球面状でなるヘッドカバー７を装着した表情筋運動器具。
【請求項２】
装着するヘッドカバーのフランジ部分を伸縮させ表情筋に加える刺激の強さを可変できる構造のヘッドカバー９を装着した請求項１の表情筋運動器具。